【手続補正書】
【提出日】令和3年10月4日(2021.10.4)
【手続補正１】
【補正対象書類名】特許請求の範囲
【補正対象項目名】全文
【補正方法】変更
【補正の内容】
【特許請求の範囲】
【請求項１】
ワイヤレス通信ネットワークダウン選択の方法であって、
ワイヤレス通信デバイスのトランシーバによって、プライマリサービスのためのプライマリサービスプリファレンスおよびセカンダリサービスのためのセカンダリサービスプリファレンスのインジケーションを送信することと、
前記トランシーバによって、前記プライマリサービスプリファレンスおよび前記セカンダリサービスプリファレンスの前記送信されたインジケーションに少なくとも部分的に応答して、ネットワークからチャネルレイヤ構成を受信することと、
前記チャネルレイヤ構成に少なくとも部分的に基づいて、前記プライマリサービスまたは前記セカンダリサービスをサポートすることと
を備え、前記プライマリサービスプリファレンスは、前記ワイヤレス通信デバイスの１つまたは複数の無線アクセス技術（ＲＡＴ）およびアンテナの第１の構成に関連付けられ、前記セカンダリサービスプリファレンスは、１つまたは複数のＲＡＴおよびアンテナの第２の構成に関連付けられる、方法。
【請求項２】
前記ワイヤレス通信デバイスによって、前記ネットワークに関連付けられたチャネルのステータス特性を測定することをさらに備え、ここにおいて、前記プライマリサービスプリファレンスおよび前記セカンダリサービスプリファレンスは、前記ネットワークの前記測定されたステータス特性に少なくとも部分的に基づく、請求項１に記載の方法。
【請求項３】
前記ワイヤレス通信デバイスによって、前記ネットワークに関連付けられた前記チャネルの前記ステータス特性を測定することは、ロングタームエボリューション（ＬＴＥ）ネットワークの知覚されたチャネルの特性を測定することを備える、請求項２に記載の方法。
【請求項４】
前記ワイヤレス通信デバイスの前記トランシーバによって、前記プライマリサービスプリファレンスおよび前記セカンダリサービスプリファレンスの前記インジケーションを送信することは、チャネル状態情報（ＣＳＩ）を送信すること備え、ここにおいて、前記プライマリサービスプリファレンスは、第１のプリコーディング行列インジケータ（ＰＭＩ）および第１のランクインジケータ（ＲＩ）を含み、前記セカンダリサービスプリファレンスは、第２のＰＭＩおよび第２のＲＩを含む、請求項１に記載の方法。
【請求項５】
前記ワイヤレス通信デバイスの前記トランシーバによって、前記プライマリサービスプリファレンスおよび前記セカンダリサービスプリファレンスの前記インジケーションを送信することは、前記ネットワークの前記測定されたステータス特性に少なくとも部分的に基づく、請求項２に記載の方法。
【請求項６】
前記チャネルレイヤ構成は、ネットワーク容量と、前記送信されたプライマリサービスプリファレンスおよび前記送信されたセカンダリサービスプリファレンスとに少なくとも部分的に基づいて選択された、前記ネットワークによって採用されたチャネル容量のインジケーションを含む、請求項１に記載の方法。
【請求項７】
前記チャネルレイヤ構成は、前記ネットワークダウン選択構成を可能にする、請求項１に記載の方法。
【請求項８】
前記チャネルレイヤ構成に少なくとも部分的に基づいて、前記プライマリサービスまたは前記セカンダリサービスをサポートすることは、識別されたＲＡＴを前記ワイヤレス通信デバイスの複数のアンテナに割り当てることを備える、請求項１に記載の方法。
【請求項９】
前記プライマリサービスプリファレンスおよび前記セカンダリサービスプリファレンスの前記インジケーションは、チャネルレイヤの数と、前記所望のチャネルレイヤのためのＰＭＩとを含む、請求項１に記載の方法。
【請求項１０】
前記ワイヤレス通信デバイスの前記トランシーバによって、前記プライマリサービスプリファレンスおよび前記セカンダリサービスプリファレンスの前記インジケーションを送信することは、前記プライマリサービスプリファレンスおよび前記セカンダリサービスプリファレンスの前記インジケーションとともに、ネットワークステータス情報報告を送信することを備える、請求項１に記載の方法。
【請求項１１】
ワイヤレス通信デバイスであって、
プライマリサービスのためのプライマリサービスプリファレンスおよびセカンダリサービスのためのセカンダリサービスプリファレンスのインジケーションを送信するための手段と、
前記プライマリサービスプリファレンスおよび前記セカンダリサービスプリファレンスの前記送信されたインジケーションに少なくとも部分的に応答して、ネットワークからチャネルレイヤ構成を受信するための手段と、
前記チャネルレイヤ構成に少なくとも部分的に基づいて、前記プライマリサービスまたは前記セカンダリサービスをサポートするための手段と
を備え、前記プライマリサービスプリファレンスは、前記ワイヤレス通信デバイスの１つまたは複数の無線アクセス技術（ＲＡＴ）およびアンテナの第１の構成に関連付けられ、前記セカンダリサービスプリファレンスは、１つまたは複数のＲＡＴおよびアンテナの第２の構成に関連付けられる、ワイヤレス通信デバイス。
【請求項１２】
前記ネットワークに関連付けられたチャネルのステータス特性を測定するための手段をさらに備え、ここにおいて、前記プライマリサービスプリファレンスおよび前記セカンダリサービスプリファレンスは、前記ネットワークの前記測定されたステータス特性に少なくとも部分的に基づく、請求項１１に記載のワイヤレス通信デバイス。
【請求項１３】
前記プライマリサービスプリファレンスおよび前記セカンダリサービスプリファレンスの前記インジケーションを前記送信するための手段は、チャネル状態情報（ＣＳＩ）を送信するように構成され、ここにおいて、前記プライマリサービスプリファレンスは、第１のプリコーディング行列インジケータ（ＰＭＩ）および第１のランクインジケータ（ＲＩ）を含み、前記セカンダリサービスプリファレンスは、第２のＰＭＩおよび第２のＲＩを含む、請求項１１に記載のワイヤレス通信デバイス。
【請求項１４】
前記チャネルレイヤ構成は、ネットワーク容量と、前記送信されたプライマリサービスプリファレンスおよび前記送信されたセカンダリサービスプリファレンスとに少なくとも部分的に基づいて選択された、前記ネットワークによって採用されたチャネル容量のインジケーションを含む、請求項１１に記載のワイヤレス通信デバイス。
【請求項１５】
１つまたは複数のプロセッサによって実行されると、前記プロセッサに、請求項１〜１０のうちのいずれか一項に記載の方法のステップを実行させる命令を備える、コンピュータプログラム。
【手続補正２】
【補正対象書類名】明細書
【補正対象項目名】０１０１
【補正方法】変更
【補正の内容】
【０１０１】
[00113]  先の説明は、いかなる当業者であっても、本明細書で説明された様々な態様を実施することを可能にするように提供された。これらの態様への様々な修正は、当業者には容易に明らかとなり、本明細書で定義された一般原理は、他の態様に適用され得る。したがって、特許請求の範囲は、本明細書に示された態様に限定されるようには意図されず、特許請求の範囲の文言と一致する全範囲が与えられるものとし、ここで、単数形の要素への参照は、そのように明記されていない限り、「１つおよび１つのみ」を意味するようには意図されず、「１つまたは複数」を意味するように意図される。「例示的（exemplary）」という用語は、本明細書で「例、事例、または例示を提供する」という意味で使用される。本明細書で「例示的」と説明される任意の態様は、必ずしも他の態様よりも好ましいまたは有利であると解釈されるべきでない。別段に明記されていない限り、「いくつかの（some）」という用語は、１つまたは複数を指す。「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはこれらの任意の組合せ」といった組合せは、Ａ、Ｂ、および／またはＣの任意の組合せを含み、複数のＡ、複数のＢ、または複数のＣを含み得る。特に、「Ａ、Ｂ、またはＣのうちの少なくとも１つ」、「Ａ、Ｂ、またはＣのうちの１つまたは複数」、「Ａ、Ｂ、およびＣのうちの少なくとも１つ」、「Ａ、Ｂ、およびＣのうちの１つまたは複数」、および「Ａ、Ｂ、Ｃ、またはこれらの任意の組合せ」といった組合せは、Ａのみ、Ｂのみ、Ｃのみ、ＡとＢ、ＡとＣ、ＢとＣ、またはＡとＢとＣであり得、ここで、このような任意の組合せが、Ａ、Ｂ、またはＣのメンバーもしくは１つまたは複数のメンバーを含み得る。当業者に知られているか、または後に知られることとなる、本開示全体を通して説明された様々な態様の要素に対する全ての構造的および機能的な同等物は、参照によって本明細書に明確に組み込まれ、特許請求の範囲によって包含されるように意図される。さらに、本明細書で開示されたものはいずれも、そのような開示が特許請求の範囲において明記されているかどうかにかかわらず、公衆に放棄されるようには意図されない。「モジュール」、「メカニズム」、「要素」、「デバイス」、および同様の用語は、「手段（means）」という用語の代用になり得ない。したがって、いずれの請求項の要素も、その要素が「〜のための手段（means for）」という表現を使用して明記されていない限り、ミーンズプラスファンクションとして解釈されるべきではない。
以下に本願の出願当初の特許請求の範囲に記載された発明を付記する。
［Ｃ１］
ワイヤレス通信ネットワークダウン選択の方法であって、
ワイヤレス通信デバイスのトランシーバによって、プライマリサービスのためのプライマリサービスプリファレンスおよびセカンダリサービスのためのセカンダリサービスプリファレンスのインジケーションを送信することと、
前記トランシーバによって、前記プライマリサービスプリファレンスおよび前記セカンダリサービスプリファレンスの前記送信されたインジケーションに少なくとも部分的に応答して、ネットワークからチャネルレイヤ構成を受信することと、
前記チャネルレイヤ構成に少なくとも部分的に基づいて、前記プライマリサービスまたは前記セカンダリサービスをサポートすることと
を備える方法。
［Ｃ２］
前記ワイヤレス通信デバイスによって、前記ネットワークに関連付けられたチャネルのステータス特性を測定することをさらに備え、ここにおいて、前記プライマリサービスプリファレンスおよび前記セカンダリサービスプリファレンスは、前記ネットワークの前記測定されたステータス特性に少なくとも部分的に基づく、Ｃ１に記載の方法。
［Ｃ３］
前記ワイヤレス通信デバイスによって、前記ネットワークに関連付けられた前記チャネルの前記ステータス特性を測定することは、ロングタームエボリューション（ＬＴＥ）ネットワークの知覚されたチャネルの特性を測定することを備える、Ｃ２に記載の方法。
［Ｃ４］
前記ワイヤレス通信デバイスの前記トランシーバによって、前記プライマリサービスプリファレンスおよび前記セカンダリサービスプリファレンスの前記インジケーションを送信することは、チャネル状態情報（ＣＳＩ）を送信すること備え、ここにおいて、前記プライマリサービスプリファレンスは、第１のプリコーディング行列インジケータ（ＰＭＩ）および第１のランクインジケータ（ＲＩ）を含み、前記セカンダリサービスプリファレンスは、第２のＰＭＩおよび第２のＲＩを含む、Ｃ１に記載の方法。
［Ｃ５］
前記ワイヤレス通信デバイスの前記トランシーバによって、前記プライマリサービスプリファレンスおよび前記セカンダリサービスプリファレンスの前記インジケーションを送信することは、前記ネットワークの前記測定されたステータス特性に少なくとも部分的に基づく、Ｃ２に記載の方法。
［Ｃ６］
前記プライマリサービスプリファレンスは、前記ワイヤレス通信デバイスの１つまたは複数の無線アクセス技術（ＲＡＴ）およびアンテナの第１の構成に関連付けられ、前記セカンダリサービスプリファレンスは、１つまたは複数のＲＡＴおよびアンテナの第２の構成に関連付けられる、Ｃ１に記載の方法。
［Ｃ７］
前記チャネルレイヤ構成は、ネットワーク容量と、前記送信されたプライマリサービスプリファレンスおよび前記送信されたセカンダリサービスプリファレンスとに少なくとも部分的に基づいて選択された、前記ネットワークによって採用されたチャネル容量のインジケーションを含む、Ｃ１に記載の方法。
［Ｃ８］
前記チャネルレイヤ構成は、前記ネットワークダウン選択構成を可能にする、Ｃ１に記載の方法。
［Ｃ９］
前記チャネルレイヤ構成に少なくとも部分的に基づいて、前記プライマリサービスまたは前記セカンダリサービスをサポートすることは、識別されたＲＡＴを前記ワイヤレス通信デバイスの複数のアンテナに割り当てることを備える、Ｃ１に記載の方法。
［Ｃ１０］
前記プライマリサービスプリファレンスおよび前記セカンダリサービスプリファレンスの前記インジケーションは、チャネルレイヤの数と、前記所望のチャネルレイヤのためのＰＭＩとを含む、Ｃ１に記載の方法。
［Ｃ１１］
前記ワイヤレス通信デバイスの前記トランシーバによって、前記プライマリサービスプリファレンスおよび前記セカンダリサービスプリファレンスの前記インジケーションを送信することは、前記プライマリサービスプリファレンスおよび前記セカンダリサービスプリファレンスの前記インジケーションとともに、ネットワークステータス情報報告を送信することを備える、Ｃ１に記載の方法。
［Ｃ１２］
ワイヤレス通信のための装置であって、
トランシーバと、
命令を記憶したメモリと、
前記メモリと前記トランシーバとに結合された少なくとも１つのプロセッサと
を備え、前記少なくとも１つのプロセッサは、
前記トランシーバを介して、プライマリサービスのためのプライマリサービスプリファレンスおよびセカンダリサービスのためのセカンダリサービスプリファレンスのインジケーションを送信することと、
前記トランシーバを介して、前記プライマリサービスプリファレンスおよび前記セカンダリサービスプリファレンスの前記送信されたインジケーションに少なくとも部分的に応答して、ネットワークからチャネルレイヤ構成を受信することと、
前記チャネルレイヤ構成に少なくとも部分的に基づいて、前記プライマリサービスまたは前記セカンダリサービスをサポートすることと
を行うための前記命令を実行するように構成される、装置。
［Ｃ１３］
前記少なくとも１つのプロセッサは、前記ネットワークに関連付けられたチャネルのステータス特性を測定するようにさらに構成され、ここにおいて、前記プライマリサービスプリファレンスおよび前記セカンダリサービスプリファレンスは、前記ネットワークの前記測定されたステータス特性に少なくとも部分的に基づく、Ｃ１２に記載のワイヤレス通信デバイス。
［Ｃ１４］
前記少なくとも１つのプロセッサは、ロングタームエボリューション（ＬＴＥ）ネットワークの知覚されたチャネルの特性を測定することによって、前記チャネルの前記ステータス特性が前記ネットワークに関連付けられるようにさらに構成される、Ｃ１３に記載のワイヤレス通信デバイス。
［Ｃ１５］
前記少なくとも１つのプロセッサは、チャネル状態情報（ＣＳＩ）を送信することによって、前記プライマリサービスプリファレンスおよび前記セカンダリサービスプリファレンスの前記インジケーションを送信するようにさらに構成され、ここにおいて、前記プライマリサービスプリファレンスは、第１のプリコーディング行列インジケータ（ＰＭＩ）および第１のランクインジケータ（ＲＩ）を含み、前記セカンダリサービスプリファレンスは、第２のＰＭＩおよび第２のＲＩを含む、Ｃ１２に記載のワイヤレス通信デバイス。
［Ｃ１６］
前記少なくとも１つのプロセッサは、前記ネットワークの前記測定されたステータス特性に少なくとも部分的に基づいて、前記プライマリサービスプリファレンスおよび前記セカンダリサービスプリファレンスの前記インジケーションを送信するようにさらに構成される、Ｃ１３に記載のワイヤレス通信デバイス。
［Ｃ１７］
前記プライマリサービスプリファレンスは、前記ワイヤレス通信デバイスの１つまたは複数の無線アクセス技術（ＲＡＴ）およびアンテナの第１の構成に関連付けられ、前記セカンダリサービスプリファレンスは、１つまたは複数のＲＡＴおよびアンテナの第２の構成に関連付けられる、Ｃ１２に記載のワイヤレス通信デバイス。
［Ｃ１８］
前記チャネルレイヤ構成は、ネットワーク容量と、前記送信されたプライマリサービスプリファレンスおよび前記送信されたセカンダリサービスプリファレンスとに少なくとも部分的に基づいて選択された、前記ネットワークによって採用されたチャネル容量のインジケーションを含む、Ｃ１２に記載のワイヤレス通信デバイス。
［Ｃ１９］
前記チャネルレイヤ構成は、前記ネットワークダウン選択構成を可能にする、Ｃ１２に記載のワイヤレス通信デバイス。
［Ｃ２０］
前記少なくとも１つのプロセッサは、前記チャネルレイヤ構成に少なくとも部分的に基づいて、前記プライマリサービスまたは前記セカンダリサービスをサポートすることが、識別されたＲＡＴを前記ワイヤレス通信デバイスの複数のアンテナに割り当てることを備えるようにさらに構成される、Ｃ１２に記載のワイヤレス通信デバイス。
［Ｃ２１］
前記プライマリサービスプリファレンスおよび前記セカンダリサービスプリファレンスの前記インジケーションは、チャネルレイヤの数と、前記所望のチャネルレイヤのためのＰＭＩとを含む、Ｃ１２に記載のワイヤレス通信デバイス。
［Ｃ２２］
前記プロセッサは、前記プライマリサービスプリファレンスおよび前記セカンダリサービスプリファレンスの前記インジケーションとともに、ネットワークステータス情報報告を送信することによって、前記プライマリサービスプリファレンスおよび前記セカンダリサービスプリファレンスの前記インジケーションを送信するようにさらに構成される、Ｃ１２に記載のワイヤレス通信デバイス。
［Ｃ２３］
ワイヤレス通信デバイスであって、
プライマリサービスのためのプライマリサービスプリファレンスおよびセカンダリサービスのためのセカンダリサービスプリファレンスのインジケーションを送信するための手段と、
前記プライマリサービスプリファレンスおよび前記セカンダリサービスプリファレンスの前記送信されたインジケーションに少なくとも部分的に応答して、ネットワークからチャネルレイヤ構成を受信するための手段と、
前記チャネルレイヤ構成に少なくとも部分的に基づいて、前記プライマリサービスまたは前記セカンダリサービスをサポートするための手段と
を備えるワイヤレス通信デバイス。
［Ｃ２４］
前記ネットワークに関連付けられたチャネルのステータス特性を測定するための手段をさらに備え、ここにおいて、前記プライマリサービスプリファレンスおよび前記セカンダリサービスプリファレンスは、前記ネットワークの前記測定されたステータス特性に少なくとも部分的に基づく、Ｃ２３に記載のワイヤレス通信デバイス。
［Ｃ２５］
前記ネットワークに関連付けられた前記チャネルの前記ステータス特性を前記測定するための手段は、ロングタームエボリューション（ＬＴＥ）ネットワークの知覚されたチャネルの特性を測定するために構成される、Ｃ２４に記載のワイヤレス通信デバイス。
［Ｃ２６］
前記プライマリサービスプリファレンスおよび前記セカンダリサービスプリファレンスの前記インジケーションを前記送信するための手段は、チャネル状態情報（ＣＳＩ）を送信するように構成され、ここにおいて、前記プライマリサービスプリファレンスは、第１のプリコーディング行列インジケータ（ＰＭＩ）および第１のランクインジケータ（ＲＩ）を含み、前記セカンダリサービスプリファレンスは、第２のＰＭＩおよび第２のＲＩを含む、Ｃ２３に記載のワイヤレス通信デバイス。
［Ｃ２７］
前記プライマリサービスプリファレンスおよび前記セカンダリサービスプリファレンスの前記インジケーションを送信することは、前記ネットワークの前記測定されたステータス特性に少なくとも部分的に基づく、Ｃ２４に記載のワイヤレス通信デバイス。
［Ｃ２８］
前記プライマリサービスプリファレンスは、前記ワイヤレス通信デバイスの１つまたは複数の（無線アクセス技術）ＲＡＴおよびアンテナの第１の構成に関連付けられ、前記セカンダリサービスプリファレンスは、１つまたは複数のＲＡＴおよびアンテナの第２の構成に関連付けられる、Ｃ２３に記載のワイヤレス通信デバイス。
［Ｃ２９］
前記チャネルレイヤ構成は、ネットワーク容量と、前記送信されたプライマリサービスプリファレンスおよび前記送信されたセカンダリサービスプリファレンスとに少なくとも部分的に基づいて選択された、前記ネットワークによって採用されたチャネル容量のインジケーションを含む、Ｃ２３に記載のワイヤレス通信デバイス。
［Ｃ３０］
前記チャネルレイヤ構成は、前記ネットワークダウン選択構成を可能にする、Ｃ２３に記載のワイヤレス通信デバイス。
［Ｃ３１］
前記チャネルレイヤ構成に少なくとも部分的に基づいて、前記プライマリサービスまたは前記セカンダリサービスを前記サポートするための手段は、識別されたＲＡＴを前記ワイヤレス通信デバイスの複数のアンテナに割り当てるために構成される、Ｃ２３に記載のワイヤレス通信デバイス。
［Ｃ３２］
前記プライマリサービスプリファレンスおよび前記セカンダリサービスプリファレンスの前記インジケーションは、チャネルレイヤの数と、前記所望のチャネルレイヤのためのＰＭＩとを含む、Ｃ２３に記載のワイヤレス通信デバイス。
［Ｃ３３］
前記プライマリサービスプリファレンスおよび前記セカンダリサービスプリファレンスの前記インジケーションを前記送信するための手段は、前記プライマリサービスプリファレンスの前記インジケーションおよび前記セカンダリサービスプリファレンスの前記インジケーションとともに、ネットワークステータス情報報告を送信するように構成される、Ｃ２３に記載のワイヤレス通信デバイス。
［Ｃ３４］
プロセッサによって実行可能なコンピュータ実行可能コードを記憶したコンピュータ可読媒体であって、
プライマリサービスのためのプライマリサービスプリファレンスおよびセカンダリサービスのためのセカンダリサービスプリファレンスのインジケーションを送信することと、
前記プライマリサービスプリファレンスおよび前記セカンダリサービスプリファレンスの前記送信されたインジケーションに少なくとも部分的に応答して、ネットワークからチャネルレイヤ構成を受信することと、
前記チャネルレイヤ構成に少なくとも部分的に基づいて、前記プライマリサービスまたは前記セカンダリサービスをサポートすることと
を行うためのコードを備える、コンピュータ可読媒体。
［Ｃ３５］
前記ネットワークに関連付けられたチャネルのステータス特性を測定するためのコードをさらに備え、ここにおいて、前記プライマリサービスプリファレンスおよび前記セカンダリサービスプリファレンスは、前記ネットワークの前記測定されたステータス特性に少なくとも部分的に基づく、Ｃ３４に記載のコンピュータ可読媒体。
［Ｃ３６］
前記ネットワークに関連付けられた前記チャネルの前記ステータス特性を測定することは、ロングタームエボリューション（ＬＴＥ）ネットワークの知覚されたチャネルの特性を測定することを備える、Ｃ３５に記載のコンピュータ可読媒体。
［Ｃ３７］
前記プライマリサービスプリファレンスおよび前記セカンダリサービスプリファレンスの前記インジケーションを送信することは、チャネル状態情報（ＣＳＩ）を送信すること備え、ここにおいて、前記プライマリサービスプリファレンスは、第１のプリコーディング行列インジケータ（ＰＭＩ）および第１のランクインジケータ（ＲＩ）を含み、前記セカンダリサービスプリファレンスは、第２のＰＭＩおよび第２のＲＩを含む、Ｃ３４に記載のコンピュータ可読媒体。
［Ｃ３８］
前記プライマリサービスプリファレンスおよび前記セカンダリサービスプリファレンスの前記インジケーションを送信することは、前記ネットワークの前記測定されたステータス特性に少なくとも部分的に基づく、Ｃ３５に記載のコンピュータ可読媒体。
［Ｃ３９］
前記プライマリサービスプリファレンスは、前記ワイヤレス通信デバイスの１つまたは複数の（無線アクセス技術（ＲＡＴ）およびアンテナの第１の構成に関連付けられ、前記セカンダリサービスプリファレンスは、１つまたは複数のＲＡＴおよびアンテナの第２の構成に関連付けられる、Ｃ３４に記載のコンピュータ可読媒体。
［Ｃ４０］
前記チャネルレイヤ構成は、ネットワーク容量と、前記送信されたプライマリサービスプリファレンスおよび前記送信されたセカンダリサービスプリファレンスとに少なくとも部分的に基づいて選択された、前記ネットワークによって採用されたチャネル容量のインジケーションを含む、Ｃ３４に記載のコンピュータ可読媒体。
［Ｃ４１］
前記チャネルレイヤ構成は、前記ネットワークダウン選択構成を可能にする、Ｃ３４に記載のコンピュータ可読媒体。
［Ｃ４２］
前記チャネルレイヤ構成に少なくとも部分的に基づいて、前記プライマリサービスまたは前記セカンダリサービスをサポートすることは、識別されたＲＡＴを前記ワイヤレス通信デバイスの複数のアンテナに割り当てることを備える、Ｃ３４に記載のコンピュータ可読媒体。
［Ｃ４３］
前記プライマリサービスプリファレンスおよび前記セカンダリサービスプリファレンスの前記インジケーションは、チャネルレイヤの数と、前記所望のチャネルレイヤのためのＰＭＩとを含む、Ｃ３４に記載のコンピュータ可読媒体。
［Ｃ４４］
前記プライマリサービスプリファレンスおよび前記セカンダリサービスプリファレンスの前記インジケーションを送信することは、前記プライマリサービスプリファレンスおよび前記セカンダリサービスプリファレンスの前記インジケーションとともに、ネットワークステータス情報報告を送信することを備える、Ｃ３５に記載のコンピュータ可読媒体。